【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
床スラブ上に配列した支持脚を構成する垂直支柱及び上部支承板によって床下地板の角部又は縁部を支持し、固定具によって該床下地板の上にボード系緩衝材を固定し、該ボード系緩衝材の上に床仕上材を更に固定し、前記固定具の保持力によって床下地板及びボード系緩衝材の面接触状態を維持し、床下地板及びボード系緩衝材の相対的な水平変位を固定具の剪断強度と面材同士の摩擦とによって阻止する構造を有する二重床構造体において、
前記ボード系緩衝材は、石膏芯材を有する石膏系面材からなり、該石膏系面材の下面は、少なくとも前記角部又は縁部を含む領域において前記石膏系面材の下面に塗着又は貼着した樹脂の表面処理皮膜層、面状の樹脂被覆層、多点状の樹脂被覆層、エンボス状の樹脂被覆層、多数の線状樹脂被覆層又は樹脂シートを有することを特徴とする二重床構造体。 
【請求項２】
床スラブ上に配列した支持脚を構成する垂直支柱及び上部支承板によって床下地板の角部又は縁部を支持し、固定具によって該床下地板の上にボード系緩衝材を固定し、該ボード系緩衝材の上に床仕上材を更に固定し、前記固定具の保持力によって床下地板及びボード系緩衝材の面接触状態を維持し、床下地板及びボード系緩衝材の相対的な水平変位を固定具の剪断強度と面材同士の摩擦とによって阻止する構造を有する二重床構造体において、
前記ボード系緩衝材は、石膏芯材を有する石膏系面材からなり、該石膏系面材の下面と、前記床下地板の上面との間には、樹脂シートが、少なくとも前記角部又は縁部を含む領域に介挿されていることを特徴とする二重床構造体。 
【請求項３】
樹脂の表面処理皮膜層、面状の樹脂被覆層、多点状の樹脂被覆層、エンボス状の樹脂被覆層、多数の線状樹脂被覆層又は樹脂シートの下面は、ＪＩＳ  Ｋ  ６２５３：２００６準拠のゴム硬度計(タイプＤ）による測定値として得られる６５以下の表面硬度を有することを特徴とする請求項１又は２に記載の施工方法。 
【請求項４】
面状の樹脂被覆層、多点状の樹脂被覆層、エンボス状の樹脂被覆層、多数の線状樹脂被覆層又は樹脂シートは、０．２mm以上の厚さを有することを特徴とする請求項１又は２に記載の二重床構造体。 
【請求項５】
前記ボード系緩衝材は、石膏系芯材の両面を石膏ボード用原紙で被覆成型してなる石膏ボードであり、前記石膏系面材の下面を構成する前記表面処理皮膜層、樹脂被覆層又は樹脂シート、或いは、前記石膏系面材の下面と前記床下地板の上面との間に介挿された前記樹脂シートは、前記石膏ボードの石膏ボード用原紙よりも低い表面摩擦係数を有することを特徴とする請求項１又は２に記載の二重床構造体。 
【請求項６】
前記ボード系緩衝材は、石膏系芯材の両面を石膏ボード用原紙で被覆成型してなる石膏ボードであり、石膏系面材の下面を構成する下面側の石膏ボード用原紙には、樹脂塗料の塗布による表面処理が施され、前記石膏ボード用原紙よりも低い表面摩擦係数を有する前記表面処理皮膜層が前記石膏ボードの下面に形成されることを特徴とする請求項１に記載の二重床構造体。 
【請求項７】
前記樹脂塗料として、5.0g/m2以上の塗布量の２液ウレタンアクリル系塗料が、下面側の前記石膏ボード用原紙の表面に塗布されたことを特徴とする請求項６に記載の二重床構造体。 
【請求項８】
前記ボード系緩衝材は、石膏系芯材の両面を石膏ボード用原紙で被覆成型してなる石膏ボードであり、下面側の石膏ボード用原紙には、樹脂系接着剤、合成ゴム系接着剤又はラテックス系接着剤の線状又は点状塗着物が塗着しており、該塗着物は、０．２mm以上の厚さを有する前記多点状樹脂被覆層又は線状樹脂被覆層を形成することを特徴とする請求項１に記載の二重床構造体。
【請求項９】
前記樹脂シートとして、テフロン（登録商標）シート、ポリプロピレンシート、ポリエチレンシート又はポリオレフィンシートが前記石膏系面材の下面と前記床下地板の上面との間に介挿されたことを特徴とする請求項５に記載の二重床構造体。
【手続補正２】
【補正対象書類名】明細書
【補正対象項目名】００１０
【補正方法】変更
【補正の内容】
【００１０】
このように、床スラブ上に配列した支持脚を構成する垂直支柱及び上部支承板によって床下地板の角部又は縁部を支持し、固定具によって床下地板の上にボード系緩衝材を固定し、ボード系緩衝材の上に床仕上材を更に固定し、固定具の保持力によって床下地板及びボード系緩衝材の面接触状態を維持し、床下地板及びボード系緩衝材の相対的な水平変位を固定具の剪断強度と面材同士の摩擦とによって阻止する構造を有する二重床構造体に関し、床鳴り現象の問題が指摘されているが、床鳴り現象は、床下地材の材種、寸法、配置、間隔、組立状態、固定方法、乾燥・収縮等の不確定且つ複合的な要因で発生する現象であり、その原因は、極めて特定し難いと考えられてきた。
【手続補正３】
【補正対象書類名】明細書
【補正対象項目名】００１３
【補正方法】変更
【補正の内容】
【００１３】
上記目的を達成すべく、本発明は、床スラブ上に配列した支持脚を構成する垂直支柱及び上部支承板によって床下地板の角部又は縁部を支持し、固定具によって該床下地板の上にボード系緩衝材を固定し、該ボード系緩衝材の上に床仕上材を更に固定し、前記固定具の保持力によって床下地板及びボード系緩衝材の面接触状態を維持し、床下地板及びボード系緩衝材の相対的な水平変位を固定具の剪断強度と面材同士の摩擦とによって阻止する構造を有する二重床構造体において、
前記ボード系緩衝材は、石膏芯材を有する石膏系面材からなり、該石膏系面材の下面は、少なくとも前記角部又は縁部を含む領域において前記石膏系面材の下面に塗着又は貼着した樹脂の表面処理皮膜層、面状の樹脂被覆層、多点状の樹脂被覆層、エンボス状の樹脂被覆層、多数の線状樹脂被覆層又は樹脂シートを有することを特徴とする二重床構造体を提供する。なお、本明細書において、面材等の「下面」は、床施工時又は構築時に垂直方向下側に位置する面材等の面を意味し、また、面材等の「上面」は、床施工時又は構築時に垂直方向上側に位置する面材等の面を意味するものとする。 
【手続補正４】
【補正対象書類名】明細書
【補正対象項目名】００１５
【補正方法】変更
【補正の内容】
【００１５】
本発明は又、床スラブ上に配列した支持脚を構成する垂直支柱及び上部支承板によって床下地板の角部又は縁部を支持し、固定具によって該床下地板の上にボード系緩衝材を固定し、該ボード系緩衝材の上に床仕上材を更に固定し、前記固定具の保持力によって床下地板及びボード系緩衝材の面接触状態を維持し、床下地板及びボード系緩衝材の相対的な水平変位を固定具の剪断強度と面材同士の摩擦とによって阻止する構造を有する二重床構造体において、
前記ボード系緩衝材は、石膏芯材を有する石膏系面材からなり、該石膏系面材の下面と、前記床下地板の上面との間には、樹脂シートが、少なくとも前記角部又は縁部を含む領域に介挿されていることを特徴とする二重床構造体を提供する。
【手続補正５】
【補正対象書類名】明細書
【補正対象項目名】００１９
【補正方法】変更
【補正の内容】
【００１９】
本発明の好適な実施形態によれば、樹脂の表面処理皮膜層、面状の樹脂被覆層、多点状の樹脂被覆層、エンボス状の樹脂被覆層、多数の線状樹脂被覆層又は樹脂シートの下面は、ＪＩＳ  Ｋ  ６２５３：２００６準拠のゴム硬度計(タイプＤ）による測定値として得られる６５以下の表面硬度を有する。
【手続補正６】
【補正対象書類名】明細書
【補正対象項目名】００２０
【補正方法】変更
【補正の内容】
【００２０】
本発明の他の好適な実施形態によれば、面状の樹脂被覆層、多点状の樹脂被覆層、エンボス状の樹脂被覆層、多数の線状樹脂被覆層又は樹脂シートは、０．２mm以上、好ましくは、０．３mm以上の厚さを有し、ボード系緩衝材の下面と床下地板の上面とは、離間する。例えば、上記ボード系緩衝材は、石膏系芯材の両面を石膏ボード用原紙で被覆成型してなる石膏ボードであり、下面側の石膏ボード用原紙には、樹脂系接着剤、合成ゴム系接着剤又はラテックス系接着剤の線状又は点状塗着物が多数塗着される。これら塗着物は、０．２mm以上、好ましくは、０．３mm以上の厚さの多点状樹脂被覆層又は線状樹脂被覆層を形成する。
【手続補正７】
【補正対象書類名】明細書
【補正対象項目名】００２１
【補正方法】変更
【補正の内容】
【００２１】
本発明の更に他の好適な実施形態によれば、石膏系面材の下面を形成する上記表面処理皮膜層、樹脂被覆層又は樹脂シート、或いは、石膏系面材の下面と床下地板の上面との間に介挿された樹脂シートの下面は、石膏ボード用原紙よりも低い表面摩擦係数を有する。好ましくは、上記ボード系緩衝材は、石膏系芯材の両面を石膏ボード用原紙で被覆成型してなる石膏ボードであり、石膏系面材の下面を構成する下面側の石膏ボード用原紙には、樹脂塗料の塗布による表面処理が施され、このような表面処理により、石膏ボード用原紙よりも低い表面摩擦係数を有する表面処理皮膜層が石膏ボードの下面に形成される。更に好ましくは、樹脂塗料として、5.0g/m2以上の塗布量の２液ウレタンアクリル系塗料が、下面側の石膏ボード原紙の表面に塗布される。変形例として、テフロン（登録商標）シート、ポリプロピレンシート、ポリエチレンシート又はポリオレフィンシートを上記樹脂シートとして石膏系面材の下面と床下地板の上面との間に介挿しても良い。
【手続補正８】
【補正対象書類名】明細書
【補正対象項目名】００２３
【補正方法】変更
【補正の内容】
【００２３】
図１、図２及び図３は、二重床構造体において床鳴り現象が発生する原因を説明するための縦断面図、部分拡大断面図及び平面図であり、図４は、本発明の原理を説明するための二重床構造体の縦断面図及び部分拡大断面図である。
【手続補正９】
【補正対象書類名】明細書
【補正対象項目名】００５６
【補正方法】変更
【補正の内容】
【００５６】
本発明者は、下側の石膏ボード原紙４ｂの下面４ｆに対して、適量のシリコーンを含有した２液ウレタンアクリル系塗料を塗布量5.0g/m2にて全面塗布して乾燥させ、これにより、表面処理皮膜層を下面４ｆに形成した。本発明者は、このような表面処理を下面４ｆの全面に施した石膏ボードをボード系緩衝材４として使用した床構造体を用意し、繰り返す活荷重Ｆの作用に起因する擦れ音の発生の有無を実証試験した結果、このような床構造体おいても、擦れ音が発生せず、擦れ音の発生による床鳴り現象を回避し得ることが本発明者の実験により判明した。
【手続補正１０】
【補正対象書類名】明細書
【補正対象項目名】００５９
【補正方法】変更
【補正の内容】
【００５９】
本実施例の床構造体は、石膏ボード原紙４ｂの下面４ｆに対して、所定量以上(5.0g/m2以上)の２液ウレタンアクリル系塗料を塗布する表面処理を施した石膏ボードをボード系緩衝材４として採用することにより、石膏ボード原紙４ｂの表面摩擦係数を低減した構成のものであり、このような床構造体によれば、擦れ音による床鳴り現象を効果的に防止することができる。
【手続補正１１】
【補正対象書類名】明細書
【補正対象項目名】００６７
【補正方法】変更
【補正の内容】
【００６７】
変形例として、エンボス加工したシート状物をボード系緩衝材４と床下地板３との間に介挿しても良い。このようなシート状物の基材（シート）として、紙、ポリプロピレン製シート、テフロン（登録商標）製シート、ユポ（登録商標）等の合成紙等を好適に使用し得る。